(57)【要約】【課題】水路カバーの取付けについて、使用部品点数の削減を図り得ると共に、取付けの作業性を良くもでき、更に、外観が損なわれることのないようにもできるようにする。【解決手段】回転槽２４（槽）の内底部に設けられた撹拌体２７の裏羽根２７ｂが生起するポンプ作用により回転槽２４内から水槽２２内の水を槽壁に沿って揚水する揚水路３４を形成する水路カバー３３を、回転槽２４の胴部２４ｂに設けたフック掛け孔（被係合部）に対する、該水路カバー３３に設けたフック３５（係合部）の上方から下方へのスライド係合により、回転槽２４の胴部２４ｂに取付け、この回転槽２４の胴部２４ｂに取付けた水路カバー３３の上端部にバランスリング５２を当接させて、フック３５の抜け止めをするようにした。【選択図】図１
2012187183.tif 000002
【特許請求の範囲】
【請求項１】
内部に洗濯物の洗濯のための貯水をし、回転されることによって洗濯物の脱水をする槽と、
この槽の上縁部に取付けられるバランスリングと、
前記槽の内底部に設けられた、裏羽根を有する撹拌体と、
この撹拌体の裏羽根が生起するポンプ作用により前記槽内の水を槽壁に沿って揚水する揚水路を形成する水路カバーとを具備し、
前記水路カバーを、前記槽の胴部に設けた被係合部に対する、該水路カバーに設けた係合部の上方から下方へのスライド係合により、前記槽の胴部に取付け、
この槽の胴部に取付けた前記水路カバーの上端部に前記バランスリングを当接させたことを特徴とする洗濯機。
【請求項２】
水路カバーが下端部にも係合部を有し、この係合部を、槽の底部に設けた被係合部に係合させたことを特徴とする請求項１記載の洗濯機。
【発明の詳細な説明】
【技術分野】
【０００１】
本発明の実施形態は洗濯機に関する。
【背景技術】
【０００２】
従来より、洗濯機においては、図５に示すように、槽１が具えられ、この槽１の内部に洗濯物の洗濯のための貯水をし、槽１が回転されることによって洗濯物の脱水をするようになっている。又、槽１の上縁部には、槽１の回転をバランス良く行わしめるためのバランスリング２が取付けられている。
【０００３】
一方、槽１の内底部には撹拌体３が設けられ、この撹拌体３の回転により槽１内に貯めた水と共に洗濯物を撹拌して洗濯物の洗濯を行うようになっている。又、撹拌体３には裏羽根３ａが設けられ、この裏羽根３ａが生起するポンプ作用によって槽１内の水を槽１壁に沿って揚水する揚水路４が、水路カバー５により覆い形成されている。揚水路４は、例えば水路カバー５の上部に設けられた網袋状のフィルタ６に槽１内の水を通すことにより、洗濯物の洗濯に伴い散出する糸屑等を捕獲するためのものである。
【０００４】
そして、水路カバー５には、図６及び図７に示すように、フック７とねじ止め用のボス８とがそれぞれ複数設けられ、他方、底部１ａと胴部１ｂとから成る槽１の胴部１ｂにはフック掛け孔９と取付孔１０とが同じく複数ずつ設けられていて、フック７をフック掛け孔９に掛け、その上で、ボス８に通したねじ（図示省略）を取付孔１０にねじ込むことによって、水路カバー５が槽１（胴部１ｂ）に取付けられるようになっている（例えば特許文献１参照）。
【先行技術文献】
【特許文献】
【０００５】
【特許文献１】特開２００１−１２０８９１号公報
【発明の概要】
【発明が解決しようとする課題】
【０００６】
上記従来のものの場合、水路カバー５が槽１にフック７によって取付けられるだけでなく、ねじによっても取付けられるようになっているため、使用部品点数が多くなってコスト高になると共に、水路カバー５の取付けの作業性も良くないものであった。
又、そのねじによる取付けのためのボス８は、一般に、プラスチックの型成形により水路カバー５と一体に設けられるが、このボス８の部分で水路カバー５の表面に肉ひけが生じ、外観が損なわれていた。
【０００７】
加えて、揚水路４は、槽１の内容積を大きく確保するために、槽１の径方向に極力薄いものが好ましいが、その場合でも、ボス８には規格品のねじ長に対応する長さが必要で、その結果、ボス８が水路カバー５の裏側だけでなく表側にも突出しがちであり、これによっても外観が損なわれるという問題点を有していた。
【０００８】
そこで、水路カバーの取付けについて、使用部品点数の削減を図り得ると共に、取付けの作業性を良くもでき、更に、外観が損なわれることのないようにもできる洗濯機を提供する。
【課題を解決するための手段】
【０００９】
本実施形態の洗濯機においては、内部に洗濯物の洗濯のための貯水をし、回転されることによって洗濯物の脱水をする槽と、この槽の上縁部に取付けられるバランスリングと、前記槽の内底部に設けられた、裏羽根を有する撹拌体と、この撹拌体の裏羽根が生起するポンプ作用により前記槽内の水を槽壁に沿って揚水する揚水路を形成する水路カバーとを具備し、前記水路カバーを、前記槽の胴部に設けた被係合部に対する、該水路カバーに設けた係合部の上方から下方へのスライド係合により、前記槽の胴部に取付け、この槽の胴部に取付けた前記水路カバーの上端部に前記バランスリングを当接させたことを特徴とする。
【図面の簡単な説明】
【００１０】
【図１】第１の実施形態を示す主要部分の縦断面図
【図２】洗濯機全体の破断側面図
【図３】水路カバー単体の背面図
【図４】水路カバーを取付ける部分の斜視図
【図５】従来例を示す図２相当図
【図６】主要部分の分解斜視図
【図７】水路カバー単体の部分斜視図
【発明を実施するための形態】
【００１１】
以下、第１の実施形態につき、図１ないし図４を参照して説明する。
まず、図２には、洗濯機（脱水兼用洗濯機）の全体構成を示しており、外箱２１を外殻とし、この外箱２１の内部に水槽２２を、複数本（１本のみ図示）の吊り棒２３ａ及びスプリング２３ｂを主体とする弾性吊持機構２３により弾性支持して配設している。
【００１２】
水槽２２の内部には回転槽２４を配設しており、この回転槽２４が洗濯物の洗濯のための貯水をし、回転されることによって洗濯物の脱水をする槽として機能するようになっている。この回転槽２４は、詳細には、底部２４ａを例えばプラスチックにより椀状に形成し、胴部２４ｂをステンレス鋼板等の金属により円筒状に形成して、それらを結合部２４ｃで結合することにより構成したもので、胴部２４ｂには脱水孔２４ｄを全域に多数（部分的に図示）形成している。
【００１３】
上記回転槽２４の底部２４ａには、凹陥状のポンプ室２６を形成して、そこに撹拌体２７を配設しており、水槽２２の底部から下方には、モータ２８ａを主体とする駆動機構２８を配設している。駆動機構２８は、洗濯時に回転槽２４を制止して撹拌体２７を正逆両方向に交互に回転させ、脱水時に回転槽２４を撹拌体２７と共に一方向に高速回転させるようになっている。又、この場合、モータ２８ａはアウターロータ形であり、撹拌体２７及び回転槽２４を直に回転させるようになっている。
このほか、水槽２２の底隅部には排水口２９を形成しており、この排水口２９には、水位検知用のエアトラップ３０を連通させるとともに、排水弁３１を介して排水管３２を連通させている。
【００１４】
ここで、前記撹拌体２７は、上側に表羽根２７ａを複数有し、下側（ポンプ室２６側）に裏羽根２７ｂを同じく複数有している。そのうち、表羽根２７ａは回転槽２４内に貯めた水と共に洗濯物を撹拌して洗濯物の洗濯を行うものであり、裏羽根２７ｂは回転槽２４内から水槽２２内に貯めた水を前記ポンプ室２６に吸引して該ポンプ室２６の図１に示す出口部２６ａから吐出するポンプ作用を生起するようになっている。
【００１５】
これに対して、回転槽２４の底部２４ａから胴部２４ｂにかけては、それらの一部に縦長の水路カバー３３を取付けることによって揚水路３４を覆い形成している。この揚水路３４は下端の入口部が上記ポンプ室２６の出口部２６ａから撹拌体２７の裏羽根２７ｂ部分に臨むもので、それによりその裏羽根２７ｂが生起するポンプ作用により吐出される水を受容して回転槽２４の槽壁に沿って揚げ導くようになっている。
【００１６】
水路カバー３３には、詳細には図３に示すように、裏面の左右両側部に、係合部（第１の係合部）である逆Ｌ字形のフック３５を複数設けると共に、それぞれ２条のリブ３６，３７をほゞ全長にわたり設けており、裏面の最下部の左右両端部に同じく係合部（第２の係合部）である差込爪３８を設け、それらよりやゝ内側の部分にピン状の凸部３９を設けている。これらは、プラスチックの型成形によって、水路カバー３３と一体に形成したものである。
【００１７】
このほか、水路カバー３３には、中央部に通水孔４０を複数形成し、この通水孔４０群の周囲部に外下がり状のリブ４１を複数形成している。更に、水路カバー３３には、図１及び図２に示すように、通水孔４０群に対応してそれより回転槽２４内側の凹部となった部分に、フィルタ４２を着脱可能に取付け、上部に洗剤投入ピース４３を取付けている。
【００１８】
なお、フィルタ４２は、中空状で、下端の開口部に逆止弁４４を有し、前後の両壁部に通水孔４５を複数有していて、該通水孔４５に糸屑捕獲用のネット４６を張設している。又、洗剤投入ピース４３は、下部を軸４７により回動可能に取付けており、その回動により回転槽２４の径方向に出し入れされ、収納時には上端部の爪４３ａで水路カバー３３に係合保持されるようになっている。
【００１９】
これに対して、回転槽２４には、図４に示すように、胴部２４ｂに、前記フック３５に対応する被係合部（第１の被係合部）であるフック掛け孔４８を形成し、底部２４ａに、前記差込爪３８に対応する被係合部（第２の被係合部）である爪掛け孔４９を形成すると共に、前記リブ３６の下端部に対応する凹部５０を形成し、更に前記凸部３９に対応する孔５１を形成している。
【００２０】
この構成で、フック掛け孔４８にはフック３５を回転槽２４の内方から挿入して、上方から下方へスライドさせることにより係合させ、かくして水路カバー３３を回転槽２４の胴部２４ｂに取付けている。そして又、凹部５０にはリブ３６の下端部を挿入し、孔５１に凸部３９を挿入して、爪掛け孔４９に差込爪３８を差し込むことにより係合させ、かくして水路カバー３３を回転槽２４の底部２４ａに取付けている。
【００２１】
そして、その後、回転槽２４の胴部２４ｂには、バランスリング５２を、水路カバー３３の上端部３３ａに当接させて取付けており、それによってフック３５が抜け止めされると共に、リブ３６、凸部３９及び差込爪３８も抜け止めされ、水路カバー３３の外れを防止している。なお、バランスリング５２の、回転槽２４の胴部２４ｂに対する取付けは、バランスリング５２を胴部２４ｂの上端部に差し込み、その上で、胴部２４ｂにバランスリング５２を複数個（図１に１つのみ図示）のねじ５３で止めることで行っている。又、バランスリング５２は内外二重の室５２ａ，５２ｂを有するもので、その両室５２ａ，５２ｂに流動式のバランスウェイトとしての液体５４を封入している。
【００２２】
以上のように水路カバー３３を取付けて構成した揚水路３４には、洗濯時、水路カバー３３から引出した洗剤投入ピース４３を通して洗剤が入れられる。この揚水路３４に入れられた洗剤は、リブ４１で振り分けられ、通水孔４０からフィルタ４２への直接的な侵入が避けられる。次いで、撹拌体２７が回転されることにより裏羽根２７ｂによって生起されるポンプ作用で、回転槽２４内から水槽２２内の水が揚水路３４内を回転槽２４の槽壁に沿って揚げられ、上記洗剤の溶解をしてフィルタ４２を通し回転槽２４内に送り出す。又、その水が逆止弁４４を押し開けてフィルタ４２を順次通ることにより、洗濯物から散出して水に含まれた糸屑等がネット４６により捕獲される。糸屑等を捕獲したフィルタ４２は、水路カバー３３から外すことによって、捕獲した糸屑等を取り除く掃除ができる。
【００２３】
本実施形態によれば、水路カバー３３は、回転槽２４に従来のもののようなねじを使用することなく、主としてフック掛け孔４８に対するフック３５の係合と、バランスリング５２による水路カバー３３の抜け止め作用とで取付けるようにしているため、使用部品点数の削減ができて、コストの低廉化ができると共に、水路カバー３３の取付けの作業性を良くすることができる。又、ねじによる取付けのための部分で水路カバー３３の表面に肉ひけが生じるということもなくなり、併せて、そのねじによる取付けのための部分が水路カバー３３の表側に突出するといったこともなくなるので、外観が損なわれることのないようにもできる。
【００２４】
更に、本実施形態によれば、水路カバー３３が下端部にも係合部として差込爪３８を有し、この差込爪３８を、回転槽２４の底部２４ａに設けた被係合部としての爪掛け孔４９に係合させているので、水路カバー３３の取付けをより強固に行うことができる。
【００２５】
以上説明した洗濯機は、上記実施形態にのみ限定されるものではなく、例えば水路カバー３３の取付けには、ねじを全く使用しないのではなく、使用個数を減じて取付けるようにしても良いし、水路カバー３３には係合部としてフック掛け孔４８と、爪掛け孔４９、凹部５０、及び孔５１を形成し、回転槽２４に被係合部としてフック３５と、差込爪３８、リブ３６、凸部３９を形成するようにしても良い上、これらの係合部及び被係合部の具体的な形状はそれらに限られるものではないなど、要旨を逸脱しない範囲内で適宜変更して実施し得る。
【００２６】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２７】
図面中、２４は回転槽（槽）、２７は撹拌体、３３は水路カバー、３３ａは水路カバーの上端部、３４は揚水路、３５はフック（係合部）、３８は差込爪（係合部）、４８はフック掛け孔（被係合部）、４９は爪掛け孔（被係合部）、５２はバランスリングを示す。
【図１】
2012187183.tif 000003
【図２】
2012187183.tif 000004
【図３】
2012187183.tif 000005
【図４】
2012187183.tif 000006
【図５】
2012187183.tif 000007
【図６】
2012187183.tif 000008
【図７】
2012187183.tif 000009